(57)【要約】      （修正有）【課題】ユーザーが現在のケースアセンブリ内の薬品をすべて服用した後、薬品を入れたケースアセンブリを直接取り替えることができ、時間がかからない上、便利で、複数のスマートピルケースを持ち歩くため注意機能の混乱が起きて不経済になるという欠点を回避するスマートピルケースを提供する。【解決手段】スマートピルケース１００であって、薬品を貯蔵することに用いられ、薬品を取り出すことができるケースアセンブリ１０と、ケースアセンブリ１０に取り外し可能に接続され、ユーザーがケースアセンブリ１０から薬品を取り出すように注意するための制御アセンブリ２０と、を備える。【選択図】図２
0003232653.tif 000002
【実用新案登録請求の範囲】
【請求項１】
スマートピルケースであって、
薬品を貯蔵することに用いられ、薬品を取り出すことができるケースアセンブリと、
前記ケースアセンブリに取り外し可能に接続され、ユーザーがケースアセンブリから薬品を取り出すように注意するための制御アセンブリと、を備えることを特徴とするスマートピルケース。
【請求項２】
前記ケースアセンブリはトップカバー、ケース構造及びカバープレートを備え、
前記ケース構造には中心軸の周りに円周状に配置されている少なくとも２つの扇形溝が設置され、
前記トップカバーが前記ケース構造に覆設され、前記トップカバーに薬品取出口が設置され、前記トップカバーが前記ケース構造に対して前記中心軸の周りに回転でき、それにより前記薬品取出口が１つの対応する前記扇形溝に正対してもよいことになり、
前記カバープレートが前記ケース構造に対して固定設置され、前記カバープレートが前記ケース構造に対して前記中心軸の周りに回転するとき、前記カバープレートが前記薬品取出口を遮ることができることを特徴とする請求項１に記載のスマートピルケース。
【請求項３】
前記ケース構造に更に取付孔が設置され、
前記取付孔の中心線が前記中心軸と重なり、
前記トップカバーに制限リングが設置され、
前記制限リングの中心線が前記中心軸と重なり、前記制限リングが前記取付孔の孔壁に当接され、それにより前記トップカバーが前記ケース構造に対して前記中心軸の周りに回転することができることになることを特徴とする請求項２に記載のスマートピルケース。
【請求項４】
前記ケース構造は上面及び側面を備え、
前記側面が前記上面の周りに設置され、前記扇形溝が前記上面に設置され、前記側面の中心線が前記中心軸と重なり、
前記側面には側面の周りに設置されているレール溝が設置され、
前記トップカバーは上壁及び側壁を備え、前記側壁が前記上壁の周りに設置され、前記薬品取出口が前記上面に設置され、前記側壁の中心線が前記中心軸と重なり、
前記側壁における前記側面に向かう一面に制限スライドブロックが設置され、前記制限スライドブロックが前記レール溝に沿って移動することができ、それにより前記ケース構造が前記中心軸の周りに回転することになることを特徴とする請求項３に記載のスマートピルケース。
【請求項５】
前記トップカバーが前記ケース構造に取り外し可能に接続され、
前記ケース構造に更に案内溝が設置され、
前記案内溝は前記側面に設置されて上面まで延在し、前記案内溝は前記レール溝と連通しており、前記制限スライドブロックが前記案内溝に収容でき、それにより前記制限スライドブロックが前記案内溝に沿って移動することができることになり、
前記制限スライドブロックが前記案内溝に沿って前記レール溝に向かい合うまで移動する場合、前記制限スライドブロックが前記レール溝に沿って移動することができ、それにより前記トップカバーが前記ケース構造に組み立てられることになることを特徴とする請求項４に記載のスマートピルケース。
【請求項６】
前記ケース構造に更にフランジが設置され、
前記フランジが前記側面を取り囲んで前記側面に接続され、
前記制限スライドブロックが前記案内溝に沿って移動するとき、前記側壁における前記上壁を離れる一端が前記フランジに当接されてもよく、それにより前記制限スライドブロックが前記レール溝に向かい合うことになることを特徴とする請求項５に記載のスマートピルケース。
【請求項７】
前記取付孔の孔壁にスライドブロックが設置され、
前記スライドブロックに突起部が設置され、
前記制御アセンブリは台座を備え、
前記台座は固定軸を備え、前記固定軸の中心線が前記中心軸と重なり、前記固定軸は軸側面及び軸端面を備え、前記軸側面が前記軸端面を取り囲んでおり、前記固定軸に取付溝及び収容溝が設置され、
前記取付溝が前記軸側面に設置されて前記軸端面まで延在しており、前記スライドブロックが前記取付溝に収容されてもよく、それにより前記スライドブロックが前記取付溝に沿って移動することができ、前記固定軸が前記取付孔に収容されてもよいことになり、
前記収容溝は前記軸側面に設置されて前記取付溝と連通しており、前記収容溝内に更に凹部が設置され、
前記スライドブロックが前記取付溝に沿って前記収容溝に向かい合うまで移動する場合、前記スライドブロックが前記収容溝に沿って移動することができ、それにより前記突起部が前記凹部に収容され、前記固定軸が前記取付孔に収容され、前記ケースアセンブリが前記台座に組み立てられることになることを特徴とする請求項３〜６のいずれか１項に記載のスマートピルケース。
【請求項８】
前記台座は更にボトムプレートを備え、
前記軸側面が前記ボトムプレートと前記軸端面との間に接続され、
前記ボトムプレートにランプ溝が設置され、前記ランプ溝の数が前記扇形溝の数に対応し、
前記ケースアセンブリが前記台座に組み立てられる場合、１つの前記ランプ溝が１つの対応する前記扇形溝の溝底部に向かい合うことになり、
前記制御アセンブリは更に制御回路モジュールを備え、前記制御回路モジュールは表示ランプ及びコントローラを備え、前記コントローラは各前記表示ランプに接続され、各前記表示ランプが所定光を発するように制御することに用いられてもよく、
前記表示ランプの数が前記ランプ溝の数に対応し、各前記表示ランプが前記１つの対応するランプ溝に取り付けられることを特徴とする請求項７に記載のスマートピルケース。
【請求項９】
前記制御アセンブリは更に伝動軸を備え、
前記制御回路モジュールは更に抵抗センサを備え、前記抵抗センサはブラシ及び抵抗器を備え、前記ブラシが前記抵抗器に対して回転することができ、それにより前記抵抗器の抵抗値が変化することになり、
前記コントローラが前記抵抗器及び各前記表示ランプに接続され、
前記伝動軸の一端面に制限溝が設置され、前記伝動軸における前記制限溝を離れる一端に前記ブラシが固定接続され、
前記台座には前記軸端面と前記ボトムプレートとを貫通する軸貫通孔が設置され、
前記伝動軸が前記軸貫通孔に取り付けられ、それにより前記伝動軸が前記台座に対して前記中心軸の周りに回転することができることになり、
前記トップカバーに制限ピンが設置され、前記制限ピンが前記制限溝に収容され、それにより前記トップカバーが前記ケース構造に対して前記中心軸の周りに回転するとき、前記トップカバーは前記伝動軸が回転するように駆動することになり、
前記抵抗器の抵抗値が変化する場合、前記コントローラは対応する前記表示ランプが所定光を発するように制御することに用いられてもよいことを特徴とする請求項８に記載のスマートピルケース。
【請求項１０】
前記制御アセンブリは更に重力センサを備え、
前記重力センサは前記スマートピルケースが反転するかどうかを検出することに用いられ、
前記重力センサが前記コントローラに接続され、
前記スマートピルケースが反転して、前記抵抗器の抵抗値が変化する場合、前記コントローラは所定信号を発することに用いられることを特徴とする請求項９に記載のスマートピルケース。
【考案の詳細な説明】
【技術分野】
【０００１】
本願はスマートピルケースの技術分野に関し、特にスマートピルケースに関する。
【背景技術】
【０００２】
現在、人口高齢化が進んで、関連薬品の需要量が増加しているが、薬品を定時に服用することは老人性痴呆症の治療にとって非常に重要である。
【０００３】
従来のスマートピルケースは保存構造及び制御回路モジュールを備え、保存構造は格子で構成され、薬品が別個に複数の異なる格子に置かれ、制御回路モジュールはユーザーが服薬するように注意することに用いられる。
【０００４】
しかしながら、考案者は、本考案の実現過程において、従来のスマートピルケース内の薬品の貯蔵量が限られるため、ピルケースに薬品がなくなる場合が多く、そして、ピルケースに薬品を入れることが面倒で時間がかかるため、ユーザーが定刻に服薬することに影響を及ぼすが、複数のスマートピルケースを持ち歩くと、複数のスマートピルケースの注意機能の混乱が起きて不経済になるということを発見した。従って、従来技術を改良する必要がある。
【考案の概要】
【考案が解決しようとする課題】
【０００５】
本願の実施形態の主な解決しようとする技術的問題は、レーザー光路と誘導蛍光光路とを分離させることができ、コヒーレントレーザーを抑制するとともに誘導蛍光光路に影響しない投影システム及びそのレーザー照明光源を提供することである。
【課題を解決するための手段】
【０００６】
上記技術的問題を解決するために、本願の実施形態に用いた技術案は、スマートピルケースを提供し、該スマートピルケースは、薬品を貯蔵することに用いられ、薬品を取り出すことができるケースアセンブリと、前記ケースアセンブリに取り外し可能に接続され、ユーザーがケースアセンブリから薬品を取り出すように注意するための制御アセンブリと、を備える。
【０００７】
いくつかの実施例では、前記ケースアセンブリはトップカバー、ケース構造及びカバープレートを備え、前記ケース構造には中心軸の周りに円周状に配置されている少なくとも２つの扇形溝が設置され、前記トップカバーが前記ケース構造に覆設され、前記トップカバーに薬品取出口が設置され、前記トップカバーが前記ケース構造に対して前記中心軸の周りに回転することができ、それにより前記薬品取出口が１つの対応する前記扇形溝に正対してもよいことになり、前記カバープレートが前記ケース構造に対して固定設置され、前記カバープレートが前記ケース構造に対して前記中心軸の周りに回転するとき、前記カバープレートが前記薬品取出口を遮ることができる。
【０００８】
いくつかの実施例では、前記ケース構造に更に取付孔が設置され、前記取付孔の中心線が前記中心軸と重なり、前記トップカバーに制限リングが設置され、前記制限リングの中心線が前記中心軸と重なり、前記制限リングが前記取付孔の孔壁に当接され、それにより前記トップカバーが前記ケース構造に対して前記中心軸の周りに回転することができることになる。
【０００９】
いくつかの実施例では、前記ケース構造は上面及び側面を備え、前記側面が前記上面の周りに設置され、前記扇形溝が前記上面に設置され、前記側面の中心線が前記中心軸と重なり、前記側面には側面の周りに設置されているレール溝が設置され、前記トップカバーは上壁及び側壁を備え、前記側壁が前記上壁の周りに設置され、前記薬品取出口が前記上面に設置され、前記側壁の中心線が前記中心軸と重なり、前記側壁における前記側面に向かう一面に制限スライドブロックが設置され、前記制限スライドブロックが前記レール溝に沿って移動することができ、それにより前記ケース構造が前記中心軸の周りに回転することになる。
【００１０】
いくつかの実施例では、前記トップカバーが前記ケース構造に取り外し可能に接続され、前記ケース構造に更に案内溝が設置され、前記案内溝が前記側面に設置されて上面まで延在し、前記案内溝が前記レール溝と連通し、前記制限スライドブロックが前記案内溝に収容されてもよく、それにより前記制限スライドブロックが前記案内溝に沿って移動することができることになり、前記制限スライドブロックが前記案内溝に沿って前記レール溝に向かい合うまで移動する場合、前記制限スライドブロックが前記レール溝に沿って移動することができ、それにより前記トップカバーが前記ケース構造に組み立てられることになる。
【００１１】
いくつかの実施例では、前記ケース構造に更にフランジが設置され、前記フランジが前記側面を取り囲んで前記側面に接続され、前記制限スライドブロックが前記案内溝に沿って移動するとき、前記側壁における前記上壁を離れる一端が前記フランジに当接されてもよく、それにより前記制限スライドブロックが前記レール溝に向かい合うことになる。
【００１２】
いくつかの実施例では、前記取付孔の孔壁にスライドブロックが設置され、前記スライドブロックに突起部が設置され、前記制御アセンブリは台座を備え、前記台座は固定軸を備え、前記固定軸の中心線が前記中心軸と重なり、前記固定軸は軸側面及び軸端面を備え、前記軸側面が前記軸端面を取り囲んでおり、前記固定軸に取付溝及び収容溝が設置され、前記取付溝が前記軸側面に設置されて前記軸端面まで延在し、前記スライドブロックが前記取付溝に収容されてもよく、それにより前記スライドブロックが前記取付溝に沿って移動することができることになり、前記固定軸が前記取付孔に収容されてもよく、前記収容溝は前記軸側面に設置されて前記取付溝と連通しており、前記収容溝内に更に凹部が設置され、前記スライドブロックが前記取付溝に沿って前記収容溝に向かい合うまで移動する場合、前記スライドブロックが前記収容溝に沿って移動することができ、それにより前記突起部が前記凹部に収容され、前記固定軸が前記取付孔に収容され、前記ケースアセンブリが前記台座に組み立てられることになる。
【００１３】
いくつかの実施例では、前記台座は更にボトムプレートを備え、前記軸側面が前記ボトムプレートと前記軸端面との間に接続され、前記ボトムプレートにランプ溝が設置され、前記ランプ溝の数が前記扇形溝の数に対応し、前記ケースアセンブリが前記台座に組み立てられる場合、１つの前記ランプ溝が１つの対応する前記扇形溝の溝底部に向かい合うことになり、前記制御アセンブリは更に制御回路モジュールを備え、前記制御回路モジュールは表示ランプ及びコントローラを備え、前記コントローラは各前記表示ランプに接続され、各前記表示ランプが所定光を発するように制御することに用いられてもよく、前記表示ランプの数が前記ランプ溝の数に対応し、各前記表示ランプが前記１つの対応するランプ溝に取り付けられる。
【００１４】
いくつかの実施例では、前記制御アセンブリは更に伝動軸を備え、前記制御回路モジュールは更に抵抗センサを備え、前記抵抗センサはブラシ及び抵抗器を備え、前記ブラシが前記抵抗器に対して回転することができ、それにより前記抵抗器の抵抗値が変化することになり、前記コントローラが前記抵抗器及び各前記表示ランプに接続され、前記伝動軸の一端面に制限溝が設置され、前記伝動軸における前記制限溝を離れる一端に前記ブラシが固定接続され、前記台座には前記軸端面と前記ボトムプレートとを貫通する軸貫通孔が設置され、前記伝動軸が前記軸貫通孔に取り付けられ、それにより前記伝動軸が前記台座に対して前記中心軸の周りに回転することができることになり、前記トップカバーに制限ピンが設置され、前記制限ピンが前記制限溝に収容され、それにより前記トップカバーが前記ケース構造に対して前記中心軸の周りに回転するとき、前記トップカバーは前記伝動軸が回転するように駆動することになり、前記抵抗器の抵抗値が変化する場合、前記コントローラは対応する前記表示ランプが所定光を発するように制御することに用いられてもよい。
【００１５】
いくつかの実施例では、前記制御アセンブリは更に重力センサを備え、前記重力センサは前記スマートピルケースが反転するかどうかを検出することに用いられ、前記重力センサが前記コントローラに接続され、前記スマートピルケースが反転して前記抵抗器の抵抗値が変化する場合、前記コントローラは所定信号を発することに用いられる。
【考案の効果】
【００１６】
本願の実施形態の有益な効果は以下のとおりである。従来技術に比べて、本願の実施例のスマートピルケースは、薬品を貯蔵することに用いられ、薬品を取り出すことができるケースアセンブリと、前記ケースアセンブリに取り外し可能に接続され、ユーザーがケースアセンブリから薬品を取り出すように注意するための制御アセンブリと、を備える。上記構成によって、ユーザーが現在のケースアセンブリ内の薬品をすべて服用した後、直接薬品を入れたケースアセンブリを取り替えることができ、時間がかからない上、便利で、複数のスマートピルケースを持ち歩くため注意機能の混乱が起きて不経済になるという欠点を回避する。
【図面の簡単な説明】
【００１７】
１つ又は複数の実施例は対応する添付図面中の図によって例示的に説明するが、これらの例示的な説明は実施例を制限するためのものではなく、添付図面における同じ参照番号の素子は類似の素子を示し、特に断りがない限り、添付図面における図は比例的に制限するものではない。
【００１８】
【図１】図１は本願の実施例に係るスマートピルケースの構造模式図である。
【図２】図２は図１に示されるスマートピルケースの分解模式図である。
【図３】図３は図１に示されるスマートピルケースのケースアセンブリの分解模式図である。
【図４】図４は図３に示されるケースアセンブリのトップカバーの構造模式図である。
【図５】図５は図１に示されるスマートピルケースの制御アセンブリの分解模式図である。
【考案を実施するための形態】
【００１９】
本願を理解しやすくするために、以下に図面を参照しながら、具体的な実施形態によって本願をより詳しく説明する。説明されるように、素子が他の素子に「固定される」ように説明される場合、該素子が直接他の素子に位置してもよいし、それらの間に１つ又は複数の中間素子が存在してもよい。１つの素子が他の素子に「接続される」ように説明される場合、該素子が直接他の素子に接続されてもよいし、それらの間に１つ又は複数の中間素子が存在してもよい。本明細書に使用される用語「垂直」「水平」「左」「右」及び類似の説明は説明のためのものに過ぎない。
【００２０】
定義しない限り、本明細書に使用される技術及び科学用語は本願の当業者が一般的に理解される意味と同じである。本明細書では、本願の明細書に使用される用語は具体的な実施形態を説明するためのものであって、本願を制限するためのものではない。本明細書に使用される用語「及び／又は」は１つ又は複数の関連する列挙した項目の任意の組み合わせ及び全ての組み合わせを含む。
【００２１】
図１及び図２には本考案の実施例に係るスマートピルケース１００を示し、該スマートピルケース１００はケースアセンブリ１０及び制御アセンブリ２０を備え、前記ケースアセンブリ１０が前記制御アセンブリ２０に取り外し可能に接続される。
【００２２】
説明されるように、医者等の医療スタッフは複数のケースアセンブリ１０を用意し、ユーザーが１つの前記ケースアセンブリ１０内の薬品をすべて服用した後、別の薬品を入れた前記ケースアセンブリ１０を直接取り替えることができ、時間がかからない上、便利で、複数のスマートピルケース１００を持ち歩くため注意機能の混乱が起きて不経済になるという欠点を回避する。
【００２３】
前記ケースアセンブリ１０は薬品を貯蔵することに用いられ、薬品を取り出すことができる。
【００２４】
図３に示すように、前記ケースアセンブリ１０はケース構造１１、トップカバー１２及びカバー本体１３を備える。前記トップカバー１２と前記カバー本体１３とがいずれも前記ケース構造１１に取り付けられる。
【００２５】
前記ケース構造１１はほぼ円柱形構造であり、中心軸Ｏを備え、透光性のより良いプラスチックで製造されてもよく、前記ケース構造１１は上面１１０、下面１１１及び側面１１２を備える。前記上面１１０と前記下面１１１とが向かい合って設置され、前記側面１１２が前記上面１１０及び前記下面１１１の周りに設置されて前記上面１１０と前記下面１１１との間に接続される。
【００２６】
前記ケース構造１１に取付孔１１３、環状溝１１４、レール溝１１５、案内溝１１６及びフランジ１１７が設置される。
【００２７】
前記取付孔１１３が前記上面１１０及び前記下面１１１を貫通して設置され、前記取付孔１１３の中心線が前記中心軸Ｏと重なる。
【００２８】
前記取付孔１１３の内壁にスライドブロック１１３０が設置され、前記スライドブロック１１３０における前記下面１１１を離れる片面に突起部１１３１が設置される。
【００２９】
前記レール溝１１５は前記側面１１２に設置され、且つ側面１１２の周りに設置される。
【００３０】
前記案内溝１１６が前記側面１１２に設置されて前記上面１１０まで延在し、前記案内溝１１６が前記レール溝１１５と連通し、前記案内溝１１６の長手方向が前記中心軸Ｏに平行して設置される。
【００３１】
前記フランジ１１７が前記側面１１２に設置され、且つ前記フランジ１１７が側面１１２の周りに設置される。
【００３２】
前記環状溝１１４が前記上面１１０に設置され、前記環状溝１１４の中心線が前記中心軸Ｏと重なる。
【００３３】
前記環状溝１１４は第１溝壁１１４０、第２溝壁１１４１及び溝底部１１４２を備える。前記第１溝壁１１４０が外円柱面であり、前記第２溝壁１１４１が内円柱面であり、前記第１溝壁１１４０が前記第２溝壁１１４１に向かい合い、且つ前記第１溝壁１１４０と前記第２溝壁１１４１とが分離して設置され、前記溝底部１１４２が前記第１溝壁１１４０と前記第２溝壁１１４１との間に接続される。
【００３４】
前記環状溝１１４内に少なくとも１つの仕切板１１４３が設置され、各前記仕切板１１４３が前記第１溝壁１１４０、前記第２溝壁１１４１及び前記溝底部１１４２に接続され、前記環状溝１１４を少なくとも２つの扇形溝１１４４に分割する。
【００３５】
理解されるように、各前記扇形溝１１４４内にいずれも薬品が置かれることができる理由は、多数の薬品が前記保存位置を１週間以上離れることができないためであり、従って、好ましくは、前記扇形溝１１４４が７つ設置されてもよい。
【００３６】
前記環状溝１１４内に更に第１スライド溝１１４５及び第２スライド溝１１４６が設置され、前記第１スライド溝１１４５が前記第１溝壁１１４０に設置され、前記第２スライド溝１１４６が前記第２溝壁１１４１に設置され、前記第１スライド溝１１４５の長手方向と前記第２スライド溝１１４６の長手方向とがいずれも前記中心軸Ｏに平行して設置される。
【００３７】
前記カバー本体１３はカバープレート１３０及び仕切板構造１３１を備え、前記カバープレート１３０が前記仕切板構造１３１の一側面に接続される。前記仕切板構造１３１の２つの向かい合う側面がそれぞれ前記第１スライド溝１１４５及び前記第２スライド溝１１４６に収容され、前記仕切板構造１３１における前記カバープレート１３０を離れる一側面が前記環状溝１１４の溝底部１１４２に当接される。
【００３８】
図４に示すように、前記トップカバー１２が円形カバー構造であり、前記トップカバー１２が前記ケース構造１１に覆設され、各前記扇形溝１１４４と前記ケースアセンブリ１０の外側とを分離する。前記トップカバー１２は上壁１２０及び側壁１２１を備え、前記側壁１２１が前記上壁１２０の周りに設置される。
【００３９】
前記トップカバー１２に薬品取出口１２２、制限リング１２３、制限ピン１２４及び制限スライドブロック１２５が設置される。
【００４０】
制限リング１２３が前記上壁１２０における前記ケース構造１１に向かう片面に設置され、前記制限リング１２３の中心線が前記中心軸Ｏと重なり、前記制限リング１２３が前記取付孔１１３の孔壁に当接され、それにより前記トップカバー１２が前記ケース構造１１に対して前記中心軸Ｏの周りに回転することができ、且つ前記トップカバー１２が前記ケース構造１１に対して前記中心軸Ｏに沿って移動することができることになる。
【００４１】
説明されるように、前記制限リング１２３は前記取付孔１１３の孔壁に結合され、主に前記トップカバー１２と前記ケース構造１１とを組み立てる際に位置決め・案内を行うことに用いられる。
【００４２】
前記制限スライドブロック１２５が前記側壁１２１における前記ケース構造１１の側面１１２に向かう片面に設置され、前記制限スライドブロック１２５が前記案内溝１１６に収容されてもよく、それにより前記制限スライドブロック１２５が前記案内溝１１６に沿って移動することができることになる。前記制限スライドブロック１２５が前記案内溝１１６に沿って前記レール溝１１５に向かい合うまで移動する場合、前記制限スライドブロック１２５が前記レール溝１１５に沿って移動することができ、それにより前記ケース構造１１が前記トップカバー１２に組み立てられることになる。
【００４３】
理解されるように、前記ケース構造１１が前記トップカバー１２に取り外し可能に接続されることにより、前記ケース構造１１に薬品を入れることができる。
【００４４】
前記制限スライドブロック１２５が前記レール溝１１５に沿って移動するとき、前記側壁１２１における前記上壁１２０を離れる一端が前記フランジ１１７に当接される。
【００４５】
説明されるように、前記制限スライドブロック１２５が前記案内溝１１６に沿って前記レール溝１１５に向かい合うまで移動する場合、前記側壁１２１における前記上壁１２０を離れる一端が前記フランジ１１７に当接され、それにより前記制限スライドブロック１２５が容易に前記レール溝１１５に向かい合うことができることになる。
【００４６】
前記薬品取出口１２２が前記上壁１２０に開設され、前記トップカバー１２が前記ケース構造１１に対して前記中心軸Ｏの周りに回転するとき、前記薬品取出口１２２が１つの対応する前記扇形溝１１４４に正対してもよい。
【００４７】
説明されるように、前記薬品取出口１２２が１つの対応する前記扇形溝１１４４に正対する場合、前記スマートピルケース１００を反転させることにより、対応する前記扇形溝１１４４内の薬品を取り出す。
【００４８】
前記制限ピン１２４は前記上壁１２０に設置され、且つ前記制限リング１２３とともに前記上壁１２０の同じ面に位置する。
【００４９】
前記制御アセンブリ２０はユーザーがケースアセンブリ１０から薬品を取り出すように注意することに用いられる。
【００５０】
図５に示すように、前記制御アセンブリ２０は台座２１、制御回路モジュール２３、ボトムカバー２２及び伝動軸２４を備える。前記台座２１と前記ボトムカバー２２とを取り付けて収容空間をなし、前記回路モジュール２３が前記収容空間内に取り付けられ、前記伝動軸２４が前記台座２１に取り付けられる。
【００５１】
前記ケースアセンブリ１０が前記台座２１に取り外し可能に接続される。
【００５２】
前記台座アセンブリ２１は固定軸２１０及びボトムプレート２１１を備え、前記固定軸２１０が前記ボトムプレート２１１における前記ケースアセンブリ１１に向かう片面に接続される。
【００５３】
前記台座２１には前記固定軸２１０と前記ボトムプレート２１１とを貫通する軸貫通孔２１２が設置され、前記軸貫通孔２１２の中心線が前記中心軸Ｏと重なる。
【００５４】
前記固定軸２１０は円柱体構造であり、前記固定軸２１０の中心線が前記中心軸Ｏと重なり、前記固定軸２１０は軸側面２１００及び軸端面２１０１を備え、前記軸側面２１００が前記軸端面２１０１を取り囲んで前記軸端面２１０１と前記ボトムプレート２１１との間に接続される。
【００５５】
前記軸貫通孔２１２が前記軸端面２１０１を貫通する。
【００５６】
前記固定軸２１０に取付溝２１０２及び収容溝２１０３が設置される。
【００５７】
前記取付溝２１０２が前記軸側面２１００に設置されて前記軸端面２１０１まで延在し、前記取付溝２１０２の長手方向が前記中心軸Ｏに平行する。
【００５８】
前記スライドブロック１１３０が前記取付溝２１０２に収容されてもよく、それにより前記スライドブロック１１３０が前記取付溝２１０２に沿って移動することができ、且つ前記固定軸２１０が前記取付孔１１３に収容されることになる。
【００５９】
前記収容溝２１０３は前記取付溝２１０２と連通して円弧状溝であり、前記収容溝２１０３の中心線が前記中心軸Ｏと重なる。
【００６０】
前記スライドブロック１１３０が前記取付溝２１０２に沿って前記収容溝２１０３に向かい合うまで移動する場合、前記スライドブロック１１３０が前記収容溝２１０３に沿って移動することができ、それにより前記スライドブロック１１３０が前記収容溝２１０３に収容されることになる。
【００６１】
前記収容溝２１０３内に凹部（図示せず）が設置される。
【００６２】
前記スライドブロック１１３０が前記収容溝２１０３に収容される場合、前記突起部１１３１が前記凹部（図示せず）に収容され、それにより前記ケースアセンブリ１０が前記台座２１に組み立てられることになる。
【００６３】
前記ボトムプレート２１１に複数のランプ溝２１１０が設置され、前記ランプ溝２１１０の数が前記扇形溝１１４４の数に対応し、前記ケースアセンブリ１０が前記台座２０に組み立てられる場合、１つの前記ランプ溝２１１０が１つの対応する前記扇形溝１１４４の溝底部に向かい合う。
【００６４】
前記ボトムプレート２１１が前記ボトムカバー２１１０に係着され、それにより前記ボトムプレート２１１が前記ボトムカバー２１１０に組み立てられることになる。
【００６５】
前記伝動軸２４の中心線が前記中心軸Ｏと重なり、前記伝動軸２４が前記軸貫通孔２１２に取り付けられ、それにより前記伝動軸２４が前記台座２１に対して前記中心軸Ｏの周りに回転することができることになる。
【００６６】
前記伝動軸２４の一端に制限溝２４０が設置され、前記制限ピン１２４が前記制限溝２４０に収容されてもよく、それによりケース構造１１が前記台座２１に組み立てられ、且つ前記トップカバー１２が前記中心軸Ｏの周りに前記ケース構造１１に対して回転する場合、前記トップカバー１２は前記伝動軸２４が前記中心軸Ｏの周りに前記台座２１に対して回転するように駆動し、前記ケースアセンブリ１０が前記制御アセンブリ２０に組み立てられることになる。
【００６７】
前記制御回路モジュール２３は表示ランプ２３０、コントローラ（図示せず）、抵抗センサ２３１及び重力センサ（図示せず）を備える。前記コントローラが前記表示ランプ２３０、抵抗センサ２３１及び前記重力センサに接続される。
【００６８】
前記表示ランプ２３０の数が前記ランプ溝２１１０の数に対応し、各前記表示ランプ２３０が１つの対応するランプ溝２１１０内に取り付けられ、前記コントローラは各前記表示ランプ２３０が所定光を発するように制御することに用いられてもよい。
【００６９】
例えば、ユーザーが服薬する必要がある場合、対応する前記表示ランプ２３０は緑色光を発することによりユーザーが服薬するように注意することができる。
【００７０】
前記抵抗センサ２３１はブラシ（図示せず）及び抵抗器（図示せず）を備え、前記ブラシが前記抵抗器に対して回転することができ、それにより前記抵抗器の抵抗値が変化することになる。
【００７１】
前記伝動軸２４における前記ケースアセンブリ１０を離れる一端に前記ブラシが固定接続される。
【００７２】
前記重力センサは前記スマートピルケース１００が反転するかどうかを検出することに用いられる。
【００７３】
前記抵抗器の抵抗値が変化する場合、前記コントローラは対応する前記表示ランプ２３０が所定光を発するように制御することにより、ユーザーを注意することに用いられてもよい。
【００７４】
例えば、ユーザーが服薬する必要がなく、且つトップカバー１２を回転する場合、対応する前記表示ランプ２３０は赤色光を発することによりユーザーが過剰に服薬しないように注意することができる。
【００７５】
前記スマートピルケース１００が反転して、前記抵抗器の抵抗値が変化する場合、前記コントローラは所定信号を発することに用いられ、理解されるように、ユーザーの服薬回数を統計することができる。
【００７６】
説明されるように、前記トップカバー１２が前記ケース構造１１に対して前記中心軸Ｏの周りに回転する場合、前記抵抗器の抵抗値が変化し、前記コントローラは前記トップカバー１２の前記ケース構造１１に対する位置を判断することができ、更に、前記重力センサは前記スマートピルケース１００が反転するかどうかを検出し、更に前記ユーザーの服薬状態を検出することができる。
【００７７】
前記回路制御アセンブリ２３に更にブザー及び無線接続モジュールが設置されてもよく、ブザーはユーザーに薬品の服用状態を注意することができ、無線接続モジュールは服薬情報をモバイル端末に伝送して、更にユーザーの服薬状態を遠隔監視することができる。
【００７８】
例えば、無線接続モジュールが所定信号をモバイル端末に送信することにより、ユーザーの服薬回数を統計することができる。
【００７９】
従来技術に比べて、本願の実施例に係るスマートピルケース１００は、薬品を貯蔵することに用いられ、薬品を取り出すことができるケースアセンブリ１０と、前記ケースアセンブリ１０に取り外し可能に接続され、ユーザーがケースアセンブリ１０から薬品を取り出すように注意するための制御アセンブリ２０と、を備える。上記設置によって、ユーザーが現在のケースアセンブリ１０内の薬品をすべて服用した後、薬品を入れたケースアセンブリ１０を直接取り替えることができ、時間がかからない上、便利で、複数のスマートピルケース１００を持ち歩くため注意機能の混乱が起きて不経済になるという欠点を回避する。
【００８０】
以上の説明は本願の実施形態であって、本願の保護範囲を制限するためのものではなく、本願の明細書及び添付図面に基づき行った等価構造や等価置換、又は直接もしくは間接的に他の関連する技術分野に使用されるものは、いずれも本願の保護範囲内に含まれる。
【図１】
0003232653.tif 000003
【図２】
0003232653.tif 000004
【図３】
0003232653.tif 000005
【図４】
0003232653.tif 000006
【図５】
0003232653.tif 000007